(57)【要約】【課題】無線通信を用いた照明システムに関し、導入時における設置設定に要する時間を短縮することができる照明システムを提供する。【解決手段】複数の照明器具と、照明器具の少なくとも１つで構成されるグループごとに照明器具を制御する照明制御装置とを備える照明システムであって、照明器具のそれぞれは、自器具の識別情報を送信する送信手段を備え、照明制御装置は、識別情報を受信する受信手段と、受信した識別情報により識別される照明器具の一覧を表示し、表示された照明器具それぞれについてグループに含める場合にユーザ指示を受け付けるユーザインターフェース手段とを備える。【選択図】図７
2020013758.tif 000002
【特許請求の範囲】
【請求項１】
複数の照明器具と、前記複数の照明器具の少なくとも１つで構成されるグループごとに前記照明器具に同じ照明制御を指示する照明制御装置とを備える照明システムであって、
前記複数の照明器具のそれぞれは、自器具の識別情報を送信する送信手段を備え、
前記照明制御装置は、
前記識別情報を受信する受信手段と、
受信した前記識別情報により識別される前記照明器具の一覧を表示し、表示された前記照明器具それぞれについてグループ登録処理を行うためのユーザインターフェース手段とを備える、
照明システム。
【請求項２】
前記ユーザインターフェース手段は、
前記表示された照明器具のいずれかについて、ユーザが他の照明器具との識別動作の指示を行い、
前記照明制御装置は、前記他の照明器具との識別動作指示がなされた照明器具が他の照明器具との識別動作をするよう制御する
請求項１記載の照明システム。
【請求項３】
前記他の照明器具との識別動作は、点滅、点灯、消灯のいずれかである、
請求項２記載の照明システム。
【請求項４】
前記ユーザインターフェース手段は、
グループに含める照明器具を指定するためのチェックボックスを備え、
前記チェックボックスがチェックされた照明器具を前記グループに登録する
請求項１から３のいずれか１項記載の照明システム。
【請求項５】
前記ユーザインターフェース手段は、
前記グループを示す領域を有し、
前記グループを示す領域に、一覧表示された照明器具のうち前記グループに含めるものをドラッグアンドドロップすることにより前記グループに登録する
請求項１から３のいずれか１項記載の照明システム。
【請求項６】
前記ユーザインターフェース手段は、
前記一覧表示された各々の前記照明器具と、前記照明制御装置との距離を表示する
請求項１から５のいずれか１項記載の照明システム。
【請求項７】
前記送信手段は、前記識別情報を送信する場合に、ビーコンに前記識別情報を含めて送信し、
前記受信手段は、前記識別情報を含む前記ビーコンを受信する
請求項１から６のいずれか１項記載の照明システム。
【請求項８】
前記照明制御装置は、
前記ユーザインターフェース手段を備えたスマートフォンを含む
請求項１から７のいずれか１項記載の照明システム。
【発明の詳細な説明】
【技術分野】
【０００１】
本発明は、照明システムに関し、特に無線通信により照明器具を制御する技術に関する。
【背景技術】
【０００２】
無線通信を用いて複数の照明器具を制御する照明システムが特許文献１に開示されている。無線通信を用いた照明システムでは、各照明器具を識別情報により識別して、それぞれを制御する必要がある。識別情報は、製造時に各照明器具の記憶領域に記憶される。ここで、照明システムの導入にあたり、各照明器具が天井などの設置場所に設置される際には、設置業者は各照明器具を区別することなく設置していく。このため、設置完了時点においては、いずれの識別情報を有する照明器具が、天井のいずれの位置に設置されたかを特定することができない。このため、ユーザは、照明システム導入時の初期設置設定の一環として、照明器具と設置位置との対応付け処理をタブレット装置などの端末装置を用いて行う。
【０００３】
タブレット装置は、照明器具の配置場所をシンボルで表した照明配灯図を予め保持している。そして、タブレット装置は、無線通信によって各照明器具の識別情報を受信する。タブレット装置は、タッチパネルを有しており、照明配灯図と、受信した識別情報が表記されたボタンとが表示されたユーザインターフェースをタッチパネルに表示する。このボタンにタッチされると、タブレット装置が、ボタンに記載された識別情報を有する照明器具に対し点灯指示を送信し、照明器具が点灯する。
【０００４】
ユーザは、タブレット装置に表示された照明配灯図において、点灯した照明器具を表すシンボルに、点灯した照明器具の識別情報が記載されたボタンをドラッグアンドドロップし、照明器具の識別情報と配置場所とを対応づける。
【先行技術文献】
【特許文献】
【０００５】
【特許文献１】国際公開第２０１４／２０３５３７号
【発明の概要】
【発明が解決しようとする課題】
【０００６】
しかしながら、上述の照明システムにおいて、ユーザが照明器具の識別情報と照明配灯図における配置場所とを対応づける場合に、照明器具の数が多数になってくると対応づけに時間がかかってしまうという問題がある。
【０００７】
上記問題に鑑み、本発明は、無線通信を用いた照明システムに関し、導入時における設置設定に要する時間を短縮することができる照明システムを提供することを目的とする。
【課題を解決するための手段】
【０００８】
上記課題を解決するために本発明に係る照明システムは、複数の照明器具と、前記複数の照明器具の少なくとも１つで構成されるグループごとに前記照明器具に同じ照明制御を指示する照明制御装置とを備える照明システムであって、前記複数の照明器具のそれぞれは、自器具の識別情報を送信する送信手段を備え、前記照明制御装置は、前記識別情報を受信する受信手段と、受信した前記識別情報により識別される前記照明器具の一覧を表示し、表示された前記照明器具それぞれについてグループ登録処理を行うためのユーザインターフェース手段とを備える。
【発明の効果】
【０００９】
上述の構成により、本発明に係る照明システムは、識別情報が受信できた前記照明器具のうち所望のものをグループ登録するだけで、照明器具を制御できるようになるので、導入時における設置設定に要する時間を短縮することができる
【図面の簡単な説明】
【００１０】
【図１】本発明の一実施形態に係る照明システムの構成を示す図
【図２】照明システムに含まれる照明器具の構成を示すブロック図
【図３】照明システムに含まれるゲートウェイの構成を示すブロック図
【図４】照明システムに含まれるスマートフォンの構成を示すブロック図
【図５】（ａ）グループ情報一覧表を表す図、（ｂ）照明器具情報一覧表を表す図
【図６】（ａ）グループ登録ＵＩを表す図、（ｂ）グループ登録ＵＩを表す図（グループ名を入力する場合）
【図７】（ａ）グループ登録ＵＩを表す図（トグルスイッチがタッチされた状態）、（ｂ）グループ登録ＵＩを表す図（チェックボックスがチェックされた状態）
【図８】グループ制御ＵＩを表す図
【図９】照明器具のグループ登録処理の流れを示すフローチャート
【図１０】照明器具情報一覧表の作成処理の流れを示すフローチャート
【図１１】グループ情報作成処理の流れを示すフローチャート
【図１２】識別情報−グループ対応付け処理の流れを示すフローチャート
【図１３】グループ制御処理の流れを示すフローチャート
【図１４】本発明の第２の実施形態に係るグループ登録ＵＩを表す図
【図１５】本発明の第３の実施形態に係るグループ登録ＵＩを表す図
【発明を実施するための形態】
【００１１】
以下、本発明の一実施形態に係る照明システム１について図面を参照しながら説明する。
【００１２】
＜１．第１の実施形態＞
＜１．１．概要＞
本発明の一実施形態に係る照明システム１は、図１に示す様に、４０台の照明器具ＬＦ１〜ＬＦ４０、及び照明制御装置２を備える。照明器具ＬＦ１〜ＬＦ４０はそれぞれ内部に識別情報を保持しており、この識別情報により一意に識別される。照明制御装置２は、照明器具ＬＦ１〜ＬＦ４０による光源の点灯、消灯及び調光率変更などの動作を制御するためのシステムである。照明制御装置２は、ユーザが照明器具ＬＦ１〜ＬＦ４０に対して要求する動作を指示するために用いる情報端末装置の一例としてのスマートフォン６、ユーザがスマートフォン６に対し行うユーザ入力に応じて照明器具ＬＦ１〜ＬＦ４０の少なくとも１台に動作指示を送信するゲートウェイ５を備える。なお、照明制御装置２は、必ずしも、スマートフォン６とゲートウェイ５のように複数の装置で構成する必要はなく、スマートフォン６とゲートウェイ５が備える機能のうち照明器具ＬＦ１〜ＬＦ４０の動作を制御するのに必要な機能を有する１台の照明制御装置で構成してもよいし、より多くの装置で構成することとしてもよい。
【００１３】
照明器具ＬＦ１〜ＬＦ４０、ゲートウェイ５、及びスマートフォン６は、無線を用いて相互に通信する。図１中の点線矢印は、無線通信を模式的に示している。無線通信は、Ｂｌｕｅｔｏｏｔｈ（登録商標）  Ｌｏｗ  Ｅｎｅｒｇｙ（以下「ＢＬＥ」という）仕様に基づくものとするが、これに限るものではない。ゲートウェイ５及び照明器具ＬＦ１〜ＬＦ４０は、特に、１対多、又は多対多で相互に接続してメッシュネットワークを構成する。ゲートウェイ５は、メッシュネットワークを通じて、直接又は間接的に、照明器具ＬＦ１〜ＬＦ４０のいずれに対しても動作指示を送信することができる。
【００１４】
なお、照明器具ＬＦ１〜ＬＦ４０、ゲートウェイ５、及びスマートフォン６相互の通信は、全て同じ通信仕様を用いてもよいし、複数の通信仕様を用いてもよい。また、照明制御装置２は、必ずしもゲートウェイ５、及びスマートフォン６で構成する必要は無く照明器具ＬＦ１〜ＬＦ４０を制御できれば足りる。照明制御装置２は、例えば単一の装置で構成してもよいし、タブレット端末装置、パーソナルコンピュータなどゲートウェイ５及びスマートフォン６とは異なる装置で構成してもよく、３個以上の装置で構成することとしてもよい。また、照明器具ＬＦ１〜ＬＦ４０の台数は、４０台としたがこれに限らず、適宜変更されてもよい。
【００１５】
照明器具ＬＦ１〜ＬＦ４０は、光源の一例としてＬＥＤ（Ｌｉｇｈｔ  Ｅｍｉｔｔｉｎｇ  Ｄｉｏｄｅ）を備え、ゲートウェイ５から受信する動作指示によって示される動作を行う機能を有する。照明器具ＬＦ１〜ＬＦ４０は、設置場所の一例として、会議室、居室、廊下の３つの場所に分けて設置される。ここで、同じ設置場所に設置される照明器具は、それらを１グループとして、一斉に同じ動作をするよう制御される。以下、会議室に設置される照明器具で構成するグループを「会議室グループ」といい、居室に設置される照明器具で構成するグループを「居室グループ」といい、廊下に設置された照明器具で構成するグループを「廊下グループ」という。
【００１６】
ここで、照明器具ＬＦ１〜ＬＦ４０は、照明システム１の導入時に、施工業者などによって各設置場所の天井に設置される。施工業者は、照明器具ＬＦ１〜ＬＦ４０を区別しないで設置するので、設置が終わった直後は、照明システム１において、どの識別情報を有する照明器具が、どのグループに含まれるのか特定できない状態になっている。
【００１７】
よって、照明器具ＬＦ１〜ＬＦ４０を設置場所に応じたグループごとに制御するために、照明器具ＬＦ１〜ＬＦ４０、より具体的には照明器具ＬＦ１〜ＬＦ４０の各識別情報を、設置された場所に応じたグループに対応づける処理が必要である。
【００１８】
照明システム１は、グループと識別情報との対応付けを簡易な手順で行うことを可能にしたシステムである。以下、照明システム１の各構成についてより詳細に説明する。
【００１９】
＜１．２．構成＞
＜１．２．１．照明器具ＬＦｎ＞
照明器具ＬＦｎ（ｎは１〜４０のいずれかを表す）は、図２に示すように、光源部４１、回路部４３、及びワイヤレスモジュール（以下「ＷＭ」という）部４４を備える。
【００２０】
光源部４１は、ＬＥＤで構成された光源、及び光源を配置する回路基板である光源基板を備える。なお、光源は、照明用の光源として機能すれば足り、有機ＥＬ（Ｅｌｅｃｔｒｏ  Ｌｕｍｉｎｅｓｃｅｎｃｅ）デバイスなどＬＥＤ以外で構成されていてもよい。光源部４１は、入力される制御信号に基づき、光源の点灯、消灯、調光率変更及び調色などの動作を行う。
【００２１】
回路部４３は、ＷＭ部４４を装着するソケットを備え、ＷＭ部４４から受信した信号に応じて、光源部４１に対して直流電流を供給する。
【００２２】
ＷＭ部４４は、ＷＭ部４４のソケットに着脱可能な無線通信を行うモジュールである。ＷＭ部４４は、複数の通信仕様に従い無線通信可能であるとするが、これに限らず、例えば異なる通信仕様ごとに専用のＷＭ部４４が用意され、使用する通信プロトコルに応じたＷＭ部４４がソケットに装着されるものとしてもよい。ＷＭ部４４は、無線通信部４４ａ及び制御部４４ｂを備える。
【００２３】
無線通信部４４ａは、無線通信を行う機能を有する。無線通信部４４ａは、情報を送信する送信手段、及び情報を受信する受信手段として機能する。無線通信部４４ａは、識別情報の一例としてＭｅｄｉａ  Ａｃｃｅｓｓ  Ｃｏｎｔｒｏｌ  ａｄｄｒｅｓｓ（以下「ＭＡＣアドレス」という）を保持している。ＭＡＣアドレスは、無線通信のアドレスとしても用いられる。以下では、照明器具ＬＦｎの有するＭＡＣアドレスの値を「ＬＩＤ＿ｎ」のように表現する場合がある。
【００２４】
なお、ＬＩＤ＿ｎは、実際には、４８ビットの番号であり、前半２４ビットにメーカ固有の番号が割り振られるなどの規定等がある。また、識別情報は、ＭＡＣアドレスに限るものではなく、照明器具ＬＦ１〜ＬＦ４０それぞれを識別できる情報であれば足りる。例えば、照明器具ＬＦ１〜ＬＦ４０に一意に割り振るランダムな番号などであってもよい。
【００２５】
無線通信部４４ａは、通信データを受信した場合に、自装置宛ての通信データであれば制御部４４ｂに通知し、他装置宛ての通信データであればメッシュネットワークを介して他装置に転送する。
【００２６】
制御部４４ｂは、ＩＣ（Ｉｎｔｅｇｒａｔｅｄ  Ｃｉｒｃｕｉｔ）を備え、照明器具ＬＦｎの動作を制御する機能を有する。
【００２７】
制御部４４ｂは、光源の点灯、消灯、点滅、調光率増加、調光率減少など光源の動作に関する動作指示を受信した場合、動作指示が示す動作を行わせる制御信号を、回路部４３を介して光源部４１に出力する。また、動作指示が、自機器の識別情報を他機器に認識してもらうための信号であるビーコンの発信指示であった場合、無線通信部４４ａに、自機器の識別情報を含むビーコンを所定の時間間隔で発信するよう指示する。動作指示が、ビーコンの停止指示であった場合、ビーコンの発信を停止する。
【００２８】
＜１．２．２．ゲートウェイ５＞
ゲートウェイ５は、図３に示すように、無線通信部５１、有線通信部５２、制御部５３、ＲＯＭ５４、及びＲＡＭ５５を備える。
【００２９】
無線通信部５１は、無線通信を行う機能を有し、識別情報の一例としてＭＡＣアドレスを保持している。ＭＡＣアドレスは、無線通信のアドレスとして用いられる。無線通信部５１は、通信データを受信した場合に、自装置宛ての通信データであれば制御部５３に通知し、他装置宛ての通信データであればメッシュネットワークを介して他装置に転送する。
【００３０】
有線通信部５２は、有線のネットワークケーブルを介してデータ通信を行う機能を有する。有線のネットワークは、例えば有線ＬＡＮ（Ｌｏｃａｌ  Ａｒｅａ  Ｎｅｔｗｏｒｋ）などである。例えば、複数のゲートウェイ５が協働して動作をするような場合などに、複数のゲートウェイ５同士は有線により接続される。有線通信部５２は、他のゲートウェイ５との間で有線通信を用いて必要な情報を交換する。なお、有線通信を行わない場合は有線通信部５２を省略することができる。
【００３１】
ＲＯＭ５４は、制御部５３を動作させる照明制御プログラムなどを格納する不揮発メモリである。ＲＯＭ５４は、グループ情報一覧表、及び照明器具情報一覧表を保持する。グループ情報一覧表及び照明器具情報一覧表の詳細は後述する。
【００３２】
ＲＡＭ５５は、ＲＯＭ５４に格納された照明制御プログラムがロードされる記憶装置である。
【００３３】
制御部５３は、ゲートウェイ５の動作を制御する機能を有する。制御部５３は、ＣＰＵ（Ｃｅｎｔｒａｌ  Ｐｒｏｃｅｓｓｉｎｇ  Ｕｎｉｔ）を備える。ゲートウェイ５の各機能は、ＲＯＭ５４からロードされてＲＡＭ５５に記憶される照明制御プログラムを制御部５３が実行することにより実現される。
【００３４】
＜１．２．３．スマートフォン６＞
スマートフォン６は、図１に示すような長方形板状の外観を有し、一つの面にタッチパネル６５が嵌め込まれた可搬型の情報端末装置である。スマートフォン６は、タッチパネル６５に、ユーザインターフェース（以下「ＵＩ」という）を表示する機能を有する。スマートフォン６は、タッチパネル６５に表示されているＵＩの内容と、ユーザにより行われるタッチパネル６５へのタッチ、ジェスチャ入力（以下「ユーザ入力」という）とに基づき、ユーザが要求している動作の指示を判断し、ユーザ入力に基づく制御要求をゲートウェイ５に送信する。ゲートウェイ５は、スマートフォン６から制御要求を受信した場合に、その制御要求に基づき照明器具ＬＦ１〜ＬＦ４０に対し動作指示を送信する。スマートフォン６は、図４に示すように、制御部６１、ＲＯＭ６２、ＲＡＭ６３、無線通信部６４、及びタッチパネル６５を備える。
【００３５】
ＲＯＭ６２は、フラッシュメモリなどで構成され、アプリ、プログラム、ＵＩのほか各種のデータを保持する。ＲＯＭ６２は、データの一例として受信強度−距離変換表を保持する。受信強度−距離変換表は、スマートフォン６が照明器具ＬＦｎから受信する電波の受信強度と、その受信強度の場合であった場合の照明器具ＬＦｎとスマートフォン６との間のおおよその距離（単位は一例としてメートル）を示す距離情報との対応を表す。受信強度−距離変換表における受信強度と距離情報との関係は、実測又はシミュレーション等により予め導出されているものとする。
【００３６】
ＲＡＭ６３は、ＲＯＭ６２に格納された照明制御プログラムがロードされる記憶装置である。
【００３７】
タッチパネル６５は、ＵＩを構成する画像、情報を表示する表示部と、ユーザ指示の入力を受け付ける入力部とを組み合わせた電子部品であり、ユーザインターフェース手段として機能する。表示部は、一例として液晶パネルで構成される。また、入力部は、一例としてタッチパッドである。タッチパネル６５は、ユーザ入力を制御部６１に通知する。
【００３８】
制御部６１は、ＣＰＵを備える。スマートフォン６の各機能は、ＲＯＭ６２からロードされてＲＡＭ６３に記憶される照明制御プログラムを制御部６１が実行することにより実現される。制御部６１は、タッチパネル６５に表示させているＵＩと、タッチパネル６５から通知されるユーザ入力とに基づいてユーザ指示の内容を特定し、ユーザ指示に応じた処理を実行する。
【００３９】
無線通信部６４は、無線通信を行うデバイスで構成される。無線通信部６４は、ゲートウェイ５、及び照明器具ＬＦ１〜ＬＦ４０との間で無線通信を行う。また、無線通信部６４は、受信している電波の受信強度（ＲＳＳＩ）を測定する機能を有する。
【００４０】
スマートフォン６では、ＵＩなどは予めＲＯＭ６２に保存している必要はなく、ＵＩ表示が可能なアプリをサーバからダウンロードし、ＲＯＭ６２に保存させることとしてもよい。すなわち市場に流通するスマートフォンにアプリをダウンロードさせることで、このスマートフォンをユーザインターフェース手段として利用することができるようになる。
【００４１】
＜１．３．データ構造及びＵＩ＞
以下、照明システム１において照明制御プログラムにより用いられるデータ構造及びＵＩについて説明する。
【００４２】
＜１．３．１．データ構造＞
（１）グループ情報一覧表１５０
グループ情報一覧表１５０は、図５（ａ）に示すように、グループを一意に識別するグループ識別情報と、グループ名を示すグループ名情報とを対応づけたグループ情報の集合である。グループ情報一覧表１５０の１行が１つのグループ情報である。一例として、グループ情報一覧表１５０の第１行は、グループ識別情報１５０ａが「１」であり、グループ名情報１５０ｂが「会議室」であるグループ情報を示している。
【００４３】
（２）照明器具情報一覧表２００
照明器具情報一覧表２００は、スマートフォン６がビーコンを受信できた照明器具ＬＦｎについての情報を示す照明器具情報の集合である。照明器具情報一覧表２００は、一例として図５（ｂ）に示すように、１行が１つの照明器具情報である。照明器具情報は、グループ情報、識別情報、距離情報、点灯情報、調光率情報及びグループ情報を含む。照明器具情報一覧表２００において、第１列が器具名情報であり、第２列が識別情報であり、第３列が距離情報であり、第４列が点灯情報であり、第５列が調光率情報であり、第６列がグループ情報である。
【００４４】
器具名情報は、照明器具ＬＦｎにユーザが名付けた名前を表す。器具名情報は、デフォルトが「名称未設定」となっている。ユーザは、別途の名称設定用のＵＩなどを用いて、所望の名称を器具名情報として設定することができる。器具名情報を用いれば、ユーザは、数字、記号等の列である識別情報を用いて行うのは難しい照明器具ＬＦｎの区別を、容易に行うことができるようになる。
【００４５】
識別情報は、照明器具情報が表す照明器具ＬＦｎが有する識別情報である。
【００４６】
距離情報は、スマートフォン６と照明器具ＬＦｎとのおおよその距離を示す。距離情報が「１」の場合、スマートフォン６と照明器具ＬＦｎとの距離がおおよそ１ｍ（メートル）であることを示す。
【００４７】
点灯情報は、照明器具ＬＦｎが現在、点灯状態であるか消灯状態であるかを示す。点灯状態である場合には「Ｏｎ」、消灯状態である場合には「Ｏｆｆ」である。
【００４８】
調光率情報は、照明器具ＬＦｎの光源の現在の調光率（単位は％）を示す。
【００４９】
グループ識別情報は、照明器具ＬＦｎが含まれるグループのグループ識別情報である。照明器具情報一覧表２００のグループ情報としては、グループ情報一覧表１５０内のグループ識別情報が記載される。照明器具情報一覧表２００内の照明器具情報は、グループ識別情報が同値であるグループ情報一覧表１５０内のグループ情報に紐づけられる。グループ識別情報の初期値は、属するグループが無いことを示す「０」である。
【００５０】
照明器具情報一覧表２００の一例として、図５（ｂ）の第１行は、識別情報２０１ｂが「ＬＩＤ＿１」の照明器具ＬＦ１に関する情報であり、器具名情報２０１ａが「名称未設定」、距離情報２０１ｃが「１」、点灯情報２０１ｄが「Ｏｎ」、調光率情報２０１ｅが「１００」、グループ識別情報２０１ｆが「１」である。
【００５１】
＜１．３．２．ＵＩ＞
スマートフォン６は、ユーザが照明器具をグループ単位で制御するための「グループ制御ＵＩ」、その制御に先立ち予め照明器具とグループとの関係を設定するための「グループ登録ＵＩ１００」を備える。
【００５２】
（１）グループ登録ＵＩ１００
グループ登録ＵＩ１００は、スマートフォン６がユーザにより選択可能な動作を示したメニューからグループの作成開始を選択示すユーザ入力をタッチパネル６５に入力した場合に表示されるグループ登録用のＵＩである。グループ登録ＵＩ１００は、図６（ａ）に示すように、グループ入力欄ＩＢ、キャンセルボタンＣＢ、保存ボタンＳＢ、制御ボタンＬＢｎを備える。
【００５３】
グループ入力欄ＩＢは、ユーザがグループ名を設定するための入力欄である。ユーザは、スマートフォン６に対しグループ名を入力する場合、グループ入力欄ＩＢにタッチする。ユーザによるタッチを検出すると、スマートフォン６は、例えば図６（ｂ）に示すように、グループ入力欄ＩＢ内に文字入力位置を示すカーソルＣＳを表示するとともに、ユーザが文字を入力するために用いるソフトウェアキーボードＫＢを表示する。
【００５４】
ソフトウェアキーボードＫＢは、文字、数字、記号などを表すキー画像を複数備えたソフトウェアキーボードであり、ユーザがキー画像にタッチすると、スマートフォン６は、そのキー画像に対応する文字、数字、記号などが入力されたことを認識する。
【００５５】
ユーザは、ソフトウェアキーボードＫＢにおける所望の文字を表すキーを順にタッチし、所望のグループ名を入力する。なお、ソフトウェアキーボードＫＢは、グループ名の入力に限らず、ユーザによる文字、数字などの入力が必要な場合に、スマートフォン６のタッチパネル６５に表示されるものとする。
【００５６】
制御ボタンＬＢｎは、照明器具ＬＦをグループに登録するために用いるボタンである。１個の制御ボタンＬＢｎが、１個の照明器具ＬＦｎに対応する。制御ボタンＬＢｎは、照明器具情報一覧表２００の行数、すなわちスマートフォン６がビーコンを受信できた照明器具ＬＦｎの台数と同数分、作成される。制御ボタンＬＢｎ内の所定のボタンに表示される情報は、照明器具情報一覧表２００における識別情報が「ＬＩＤ＿ｎ」である照明器具情報に記載の情報である。
【００５７】
制御ボタンＬＢｎは、図６（ａ）に示すように、名称表示部ＬＢｎａ、ＩＤ表示部ＬＢｎｂ、距離表示部ＬＢｎｃ、及びチェックボックスＬＢｎｄを含む。
【００５８】
ＩＤ表示部ＬＢｎａは、制御ボタンＬＢｎを用いて制御される対象となる照明器具ＬＦｎの識別情報である「ＬＩＤ＿ｎ」を表示する。
【００５９】
名称表示部ＬＢｎｂは、制御ボタンＬＢｎを用いて制御される対象となる照明器具ＬＦｎの名称を表示する。表示される内容は、照明器具情報一覧表２００における識別情報が「ＬＩＤ＿ｎ」である照明器具情報の器具名情報である。
【００６０】
距離表示部ＬＢｎｃは、照明器具ＬＦｎと、スマートフォン６とのおおよその距離を表示する。表示される距離は、照明器具情報一覧表２００における識別情報が「ＬＩＤ＿ｎ」である照明器具情報の距離情報である。なお、グループ登録ＵＩ１００の距離表示部ＬＢｎｃでは、「［距離情報」ｍ以内」との表示をしている。距離情報が１の場合であれば「１ｍ以内」との表示になる。ｍはメートルを表す。
【００６１】
チェックボックスＬＢｎｄは、グループ入力欄ＩＢに入力されたグループ名で識別されるグループに、制御ボタンＬＢｎにより制御される照明器具ＬＦｎを含めるか否かを選択するために用いるチェックボックスである。ユーザが、照明器具ＬＦｎをグループに登録するためにチェックボックスＬＢｎｄにタッチすると、チェックボックスＬＢｎｄは、図６（ａ）に示す単なる矩形の画像から、図７（ｂ）に示す矩形の中心に印がされた画像（チェックされた状態）に変わり、グループに含めるよう選択されたことを示す。
【００６２】
ここで、制御ボタンＬＢｎのチェックボックスＬＢｎｄが表示されている領域を除く領域は、グループに含めるか否かの判断対象とする照明器具ＬＦｎを識別するために一例として点滅（他の照明器具が消灯時に点灯又は他の照明器具が点灯時に消灯など点滅以外の他の照明器具との識別動作でもよい）させるトグルスイッチになっている（以下、この領域を単に「トグルスイッチ」という）。例えば、照明器具ＬＦｎが消灯状態であり、ユーザが制御ボタンＬＢ１のトグルスイッチにタッチした場合、スマートフォン６の制御ボタンＬＢｎの表示が図６（ａ）のＬＢ１ｄに示す状態から図７（ａ）のＬＢ１ｄに示す状態に変化する。図７（ａ）の制御ボタンＬＢ１におけるハッチングは、例えば、制御ボタンＬＢ１の背景色が、図６（ａ）の場合に青色であったものが、図７（ａ）の場合に黄色に変化し、照明器具ＬＦｎが識別のために点滅動作したことを提示する。なお、図７（ａ）の制御ボタンＬＢ１におけるハッチングされた部分は、制御ボタンＬＢ１におけるトグルスイッチに相当する領域と一致している。
【００６３】
ユーザは、トグルスイッチにタッチし、照明器具ＬＦｎを点滅させて、点滅している照明器具ＬＦｎがどの場所に配置されているか確認することができる。ユーザは、照明器具ＬＦｎが設置されている場所（例えば会議室）を確認した上で、照明器具ＬＦｎをグループ（例えば会議室グループ）に含めるか否かを判断することができるので、ユーザにとって利便性が高い。
【００６４】
ユーザは、照明器具ＬＦｎを、グループ入力欄ＩＢに入力されたグループ名で識別されるグループに含めることを選択する場合には、チェックボックスＬＢｎｄをタッチする。ユーザがタッチすると、チェックボックスＬＢｎｄの画像は、図６（ａ）のチェックボックスＬＢ１ｄとして示すような単なる矩形画像から、図７（ｂ）のチェックボックスＬＢ１ｄとして示す矩形内にレ点が記載されたチェック済矩形画像に変更される。
【００６５】
この状態で、照明器具ＬＦｎをグループに含めないよう戻す場合、ユーザは、さらにチェックボックスＬＢｎｄにタッチすればよい。このとき、チェックボックスＬＢｎｄの画像は、チェック済矩形画像から単なる矩形画像に変更される。ユーザがチェックボックスＬＢｎｄにタッチするごとに、照明器具ＬＦｎをグループに含めるか否かがトグル的に切り替わる。
【００６６】
保存ボタンＳＢは、グループ入力欄ＩＢに入力されたグループ名で識別されるグループに含める照明器具ＬＦｎを確定するためのボタンである。ユーザが保存ボタンＳＢにタッチすると、チェックボックスＬＢｎｄがチェック済矩形画像になっている制御ボタンＬＢｎに関する照明器具ＬＦｎが、グループ入力欄ＩＢに記載されたグループ名のグループに含められることが決定する。
【００６７】
キャンセルボタンＣＢは、グループの作成処理を中止するためのボタンであり、キャンセル手段として機能する。ユーザによりキャンセルボタンＣＢにタッチされた場合、スマートフォン６はグループ作成処理を中止し、チェックボックスＬＢｎｄをタッチすることによりユーザが示していた、照明器具ＬＦｎをグループに含めるためのユーザ指示は破棄される。これにより、ユーザはいずれの照明器具をグループに含めるかの選択をやり直すことができる。
【００６８】
制御ボタンＬＢ１〜ＬＢ４０を並べる順番は、一例として、距離情報が小さいものから順に、上から下へと並べられている。ユーザは、例えばスマートフォン６をもってグループ登録すべき照明器具の近くに行き、上に並べられている制御ボタンＬＢｎから順に用いることで、場所的に近くに存在している照明器具ＬＦｎからグループ登録などの処理を行うことができるので、効率よく作業することができる。
【００６９】
また、グループ登録ＵＩ１００に一覧として一度に表示する制御ボタンＬＢｎは必ずしも全数を表示する必要はなく、図６（ａ）、図６（ｂ）、図７（ａ）、及び図７（ｂ）に一例として示すように、その一部を表示することとしてよい。この場合、表示されていない制御ボタンＬＢｎについては、画面スクロールにより表示できるようにするか、制御ボタンＬＢｎを一定数ずつ複数のページに割り付けて、ページごとに表示できるようにすればよい。
【００７０】
（２）グループ制御ＵＩ１３０
グループ制御ＵＩ１３０は、グループに含まれる照明器具を一括して制御するためのＵＩである。グループ制御ＵＩ１３０は、図８に示すように、全点灯ボタンＡＯＮ、全消灯ボタンＡＯＦ、グループ制御パネルＰＡｓ（ｓは１〜グループの数までのいずれかを示す自然数）を含む。
【００７１】
グループ制御パネルＰＡｓは、会議室に配された照明器具ＬＦｎを一括制御するためのパネルである。グループ制御パネルＰＡｓを用いて実行可能な制御は、一例として、点灯、消灯、及び調光率の変更である。
【００７２】
グループ制御パネルＰＡｓは、グループ名ＰＡｓａ、点消灯ボタンＰＡｓｂ、調光率スライドバーＰＡｓｃ、及び調光率表示画像ＰＡｓｄを含む。
【００７３】
グループ名ＰＡｓａは、制御対象であるグループのグループ名を表示する。グループ名ＰＡｓａに表示されるグループ名は、グループ情報一覧表１５０のｓ行目のグループ名情報である。
【００７４】
点消灯ボタンＰＡｓｂは、制御対象であるグループに属する照明器具ＬＦｎの点灯／消灯の実行を指示するためのボタンである。点消灯ボタンＰＡｓｂは、ユーザがタッチするごとに、スマートフォン６は、点灯を示すユーザ入力、及び消灯を示すユーザ入力の一方がトグル的に入力されたものと判断する。点消灯ボタンＰＡｓｂは、点灯を示すユーザ入力がされた場合「Ｏｎ」を表示し、消灯を示すユーザ入力がされた場合「Ｏｆｆ」を表示する。点消灯ボタンＰＡｓｂの「Ｏｎ」「Ｏｆｆ」は、グループ情報一覧表１５０のｓ行目のグループ識別情報で表されるグループに含まれる、照明器具ＬＦｎの点灯情報と連動する。
【００７５】
調光率スライドバーＰＡｓｃは、調光率範囲画像ＰＡｓｃＲ及び調光率バー画像ＰＡｓｃＢを備える。調光率範囲画像ＰＡｓｃＲは、矩形の画像であり、左端が調光率０％、右端が調光率１００％を表している。調光率バー画像ＰＡｓｃＢは、ユーザがドラッグ操作することにより調光率範囲画像ＰＡｓｃＲ上を移動可能になっている。そして、調光率バー画像ＰＡｓｃＢの位置が、調光率範囲画像ＰＡｓｃＲを長手方向に内分する比率によって調光率が定まる。一例として、調光率バー画像ＰＡｓｃＢが、調光率範囲画像ＰＡｓｃＲを長手方向に１：４に内分する場合、調光率は２０％を示す。調光率表示画像ＰＡｓｄは、調光率スライドバーＰＡｓｃが示す調光率を数字で表示する。
【００７６】
なお、調光率の指定の方法は、調光率スライドバーＰＡｓｃのようにスライド式のバーで指定するものに限るものではなく、調光率が指定できれば足りる。例えば、調光率は、ソフトウェアキーボードにより数値を直接入力することで指定するものとしてもよい。
【００７７】
全点灯ボタンＡＯＮは、全グループに含まれる照明器具ＬＦｎを全て点灯するためのボタンである。ユーザが全点灯ボタンＡＯＮにタッチすると、照明器具情報一覧表２００に識別情報が含まれる照明器具ＬＦｎが全て点灯状態になる。
【００７８】
全消灯ボタンＡＯＦは、全グループに含まれる照明器具ＬＦｎを全て消灯するためのボタンである。ユーザが全消灯ボタンＡＯＦにタッチすると、照明器具情報一覧表２００に識別情報が含まれる照明器具ＬＦｎが全て消灯状態になる。
【００７９】
＜１．４．動作＞
以下では、上記のように構成された照明システム１における照明器具のグループ登録処理について説明する。
【００８０】
＜１．４．１．照明器具のグループ登録処理＞
照明器具のグループ登録処理の全体フローについて図９を用いて説明する。
【００８１】
まず、ユーザは、スマートフォン６に対し、照明器具のグループ登録処理の開始を指示するためのユーザ指示を入力する（ステップＳ１０１）。スマートフォン６がユーザ指示の入力を受け付けたことをトリガーとして、照明システム１は、照明器具情報一覧表作成処理を実行する（ステップＳ１０３）。ステップＳ１０３の詳細については、図１０を用いて後述する。この照明器具情報一覧表作成処理によって、スマートフォン６が一例として図５（ｂ）に示すような照明器具情報一覧表２００を作成する。ただし、この時点では照明器具情報一覧表２００のグループ情報は、すべて属するグループがないことを示す「０」になっている。
【００８２】
次に、スマートフォン６は、取得した照明器具情報一覧表２００の器具名情報、識別情報、及び距離情報を制御ボタンＬＢｎの名称表示部ＬＢｎａ、ＩＤ表示部ＬＢｎａ、及び距離表示部ＬＢｎｃに反映した、一例として図６（ａ）に示すグループ登録ＵＩ１００を作成する（ステップＳ１０５）。スマートフォン６は、グループ登録ＵＩ１００をタッチパネル６５に表示する（ステップＳ１０７）。
【００８３】
タッチパネル６５に表示されたグループ登録ＵＩ１００を用いて、ユーザは、グループ名の入力を行う（図６（ｂ）参照）。ユーザの入力に基づいて、スマートフォン６は、グループ作成処理を実行する（ステップＳ１０９）。ステップＳ１０９の詳細については、図１１を用いて後述する。グループ情報作成処理において、スマートフォン６は、一例として図５（ｂ）に示すようなグループ識別情報とグループ名との対応を表すグループ情報一覧表１５０を作成する。
【００８４】
次に、ユーザは、タッチパネル６５に表示されたグループ登録ＵＩ１００を用いて、識別情報−グループ対応付け処理に係る入力を行う。この入力に基づき、照明システム１は、識別情報−グループ対応付け処理を実行する（ステップＳ１１１）。識別情報−グループ対応付け処理により、図５（ｂ）に示す照明器具情報一覧表２００のグループ情報欄に、各照明器具ＬＦｎが属するグループのグループ識別情報が記録される。ステップＳ１１１の詳細は、図１２とともに後述する。以上のステップにより、照明器具のグループ登録処理が完了する。
【００８５】
＜１．４．１．１．照明器具情報一覧表作成処理＞
以下、ステップＳ１０３の照明器具情報一覧表作成処理について図１０を用いて説明する。
【００８６】
ユーザが図６（ａ）に記載のグループ登録ＵＩ１００を開く操作を行うと、スマートフォン６は、ゲートウェイ５に対し照明器具ＬＦｎへのビーコン発信指示を送信する（ステップＳ２０１）。
【００８７】
ゲートウェイ５は、照明器具ＬＦｎへのビーコン発信指示を受信すると、通信が確立している照明器具ＬＦ１〜ＬＦ４０のそれぞれにビーコン発信指示を送信する（ステップＳ２０３、Ｓ２０５）。図１０では、照明器具ＬＦ３〜ＬＦ４０についての記載は省略しているが、照明器具ＬＦ１及びＬＦ２に関する処理と同様の処理を行うものとする。
【００８８】
ビーコン発信指示を受信した照明器具ＬＦ１は、ビーコンの発信を行う（ステップＳ２２１）。スマートフォン６は照明器具ＬＦ１が発信したビーコンを受信し、受信したビーコンから、照明器具ＬＦ１の識別情報を抽出する（ステップＳ２２３）。また、スマートフォン６は、ビーコンを発信している電波の受信強度を測定し（ステップＳ２２５）、測定した電波の受信強度を、ＲＯＭ６２に保持された受信強度−距離変換表を用いて距離情報に変換する（ステップＳ２２７）。
【００８９】
照明器具ＬＦ１の場合と同様に、ビーコン発信指示を受信した照明器具ＬＦ２は、ビーコンの発信を行う（ステップＳ２４１）。スマートフォン６は、照明器具ＬＦ２が発信したビーコンを受信し、受信したビーコンから、照明器具ＬＦ２の識別情報を抽出し（ステップＳ２４３）、ビーコンを発信している電波の受信強度を測定し（ステップＳ２４５）、測定した電波の受信強度を、受信強度−距離変換表を用いて距離情報に変換する（ステップＳ２４７）。
【００９０】
照明器具ＬＦ３〜ＬＦ４０についても、照明器具ＬＦ１についてのステップＳ２２１〜Ｓ２２７と同様の処理を行う。これにより、スマートフォン６は、照明器具ＬＦ１〜照明器具ＬＦ４０それぞれについて、識別情報及び距離情報を取得する。
【００９１】
そして、スマートフォン６は、識別情報及び距離情報を用いて照明器具情報一覧表を作成する（ステップＳ２６１）。具体的には、スマートフォン６は、ビーコンを受信した照明器具ＬＦｎのそれぞれについての照明器具情報を、照明器具情報一覧表２００の行に記載する。スマートフォン６は、照明器具情報の、器具名情報には初期値としての「名称未設定」を記載し、識別情報には受信した識別情報「ＬＩＤ＿ｎ」を記載し、距離情報には受信した距離情報を記載し、点灯情報には初期値として「Ｏｆｆ」を記載し、調光率情報には初期値として「１００」を記載し、グループ識別情報には初期値として「０」を記載する。
【００９２】
以上により、照明器具ＬＦ１〜ＬＦ４０についての照明器具情報が照明器具情報一覧表２００に記載される。
【００９３】
＜１．４．１．２．グループ情報作成処理＞
以下、ステップＳ１０９のグループ情報作成処理について図１１を用いて説明する。
【００９４】
上述のように、ユーザは、タッチパネル６５に表示されたグループ登録ＵＩ１００を用いて、グループ名の入力を行う。スマートフォン６は、グループ名を取得する（ステップＳ３０１）。
【００９５】
スマートフォン６は、取得したグループ名に対応するグループ識別情報を生成する（ステップＳ３０３）。グループ識別情報は、グループを一意に識別できる情報であれば足りる。
【００９６】
そして、スマートフォン６は、グループ名とグループ識別情報を対応付けたグループ情報をグループ情報一覧表１５０に記載する（ステップＳ３０５）。
【００９７】
＜１．４．１．３．グループ登録処理＞
以下、ステップＳ１１１の識別情報−グループ対応付け処理について図１２を用いて説明する。グループは、一例として会議室グループであるとする。
【００９８】
まず、ユーザは、照明器具ＬＦｎをグループに含まれるか否か判断するため、グループ登録ＵＩ１００を用いて、スマートフォン６に対し照明器具ＬＦｎの点滅指示を入力する（ステップＳ４０１）。具体的には、図７（ａ）に記載のグループ登録ＵＩ１００における制御ボタンＬＢｎのトグルスイッチにタッチする。ここで、ｎは１〜４０のうちのユーザが選択した値を表している。
【００９９】
スマートフォン６は、制御ボタンＬＢｎのトグルスイッチへのタッチを検出すると、制御ボタンＬＢｎに対応する照明器具である照明器具ＬＦｎの点滅を示す動作指示をゲートウェイ５に送信する（ステップＳ４０３）。ゲートウェイ５は、動作指示を受信すると、照明器具ＬＦｎに対して、点滅を示す動作指示を送信する（ステップＳ４０５）。照明器具ＬＦｎは、点滅を示す動作指示を受信すると、光源を点滅させる（ステップＳ４０７）
ユーザは、点滅した照明器具ＬＦｎの設置場所が会議室であるかを確認し、照明器具ＬＦｎを会議室グループに含めるか否かを判断する（ステップＳ４２１）。会議室グループに含める場合（ステップＳ４２１でＹＥＳ）、図７（ｂ）に記載のＵＩ１００におけるチェックボックスＬＢｎｄにタッチする。これによりチェックボックスＬＢｎｄがチェックされた状態に変わる（ステップＳ４２３）。照明器具ＬＦｎを会議室グループに含めない場合（ステップＳ４２１でＮＯ）、ステップＳ４２５に進む。
【０１００】
そして、ユーザは、制御ボタンＬＢｎについての判断が終わったので、図７（ａ）に記載の制御ボタンＬＢｎのトグルスイッチにタッチすることにより照明器具ＬＦｎの消灯指示を入力する（ステップＳ４２５）。スマートフォン６は、照明器具ＬＦｎの消灯指示の入力を受け付けると、ゲートウェイ５に対し、照明器具ＬＦｎの消灯指示を送信する（ステップＳ４２７）。ゲートウェイ５は、照明器具ＬＦｎの消灯指示を受信し、照明器具ＬＦｎに消灯指示を送信する（ステップＳ４２９）。照明器具ＬＦｎは、ゲートウェイ５から消灯指示を受信すると、光源を消灯状態にする（ステップＳ４３１）。
【０１０１】
次に、スマートフォン６は、ユーザによりキャンセルボタンＣＢがタッチされたか否か判断し（ステップＳ４４１）、タッチされていない場合（ステップＳ４４１でＮＯ）、ステップＳ４４３に進み、タッチされた場合（ステップＳ４４１でＹＥＳ）、グループ登録処理を終了する。ステップＳ４４３において、スマートフォン６は、ユーザにより保存ボタンＳＢがタッチされたか否か判断し、タッチされていない場合（ステップＳ４４３でＮＯ）、ステップＳ４０１に戻る。
【０１０２】
スマートフォン６は、ユーザにより保存ボタンＳＢがタッチされた場合（ステップＳ４４３でＹＥＳ）、グループ登録ＵＩ１００のチェックボックスＬＢｎｄにチェックされている全ての照明器具ＬＦｎについて、照明器具情報一覧表２００における照明器具情報のグループ情報に、会議室グループのグループ識別情報を記載する（ステップＳ４４５）。そして、スマートフォン６は、照明器具情報一覧表２００をゲートウェイ５に送信する（ステップＳ４４７）。ゲートウェイ５は、受信した照明器具情報一覧表２００をＲＯＭ５４に保存する（ステップＳ４４９）。
【０１０３】
以上説明したように、照明器具のグループ登録処理において、ユーザは、照明器具ＬＦｎをグループに含める場合、タッチパネル６５に表示されたグループ登録ＵＩ１００に表示された制御ボタンＬＢｎのチェックボックスＬＢｎｄにタッチし、保存ボタンＳＢにタッチするだけでよい。これにより、照明システム１においては、照明器具ＬＦｎの識別情報ＬＩＤ＿ｎが、グループ識別情報に対応付けられる。また、グループ識別情報は、グループ名に対応づけられている。よって、ユーザは、スマートフォン６のタッチパネル６５を用い、グループをグループ名で特定し、ユーザ指示を入力することで、照明システム１に対し、グループに含まれる全ての照明器具ＬＦｎへのユーザ指示が行うことができる。
【０１０４】
以上、説明したように、本実施形態に係る発明によれば、グループ登録ＵＩ１００を用いることで、照明器具ＬＦｎを所望のグループに容易に対応付けることができ、導入時における初期設定に要する時間を短縮することができる。
【０１０５】
＜１．４．２．グループ照明制御＞
次に、照明器具ＬＦｎをグループごとに制御するグループ照明制御の一例として、グループに含まれる全ての照明器具ＬＦｎを点灯させる照明制御について説明する。
【０１０６】
グループ照明制御は、グループに含まれる照明器具ＬＦｎに対し、同じ動作を行わせる照明制御である。以下、会議室グループに含まれる照明器具ＬＦｎを点灯させる制御について、図１３を用いて説明する。グループ照明制御を行う場合、ユーザは、一例としてスマートフォン６のタッチパネル６５に一例として図８のグループ制御ＵＩ１５０を用いる。
【０１０７】
なお、会議室グループに含まれる照明器具ＬＦｎが消灯している場合、照明器具情報一覧表２００における、グループ識別情報が会議室グループを示す１である照明器具情報の点灯情報には「Ｏｆｆ」が表示されている。これに伴い図８に示すグループ制御ＵＩ１５０の会議室グループに関する点消灯ボタンＰＡ１ｂには、「Ｏｆｆ」の表示がされている。
【０１０８】
ユーザは、グループ照明制御を開始する場合、照明制御プログラムのメニュー画面によりグループ制御ＵＩ１３０の表示を行わせるユーザ指示を、タッチパネル６５に入力する（ステップＳ５０１）。なお、照明制御プログラムのトップメニューがグループ制御ＵＩ１３０であってもよい。
【０１０９】
スマートフォン６は、タッチパネル６５に、グループ制御ＵＩ１３０を表示する（ステップＳ５０３）。ユーザは、会議室グループに含まれる照明器具ＬＦｎを点灯させる場合、タッチパネル６５に表示されているグループ制御ＵＩ１５０の、会議室グループに関する点消灯ボタンＰＡ１ｂにタッチする（ステップＳ５０５）。スマートフォン６は、会議室グループの点灯指示をゲートウェイ５に送信する（ステップＳ５０７）。
【０１１０】
ゲートウェイ５は、照明器具情報一覧表２００を参照して、グループ識別情報が会議室グループを示している（値が１である）照明器具情報に含まれる照明器具ＬＦｎの識別情報を全て抽出する（ステップＳ５２１）。そして、これらの識別情報で示される照明器具ＬＦｎに対し点灯指示を送信する（ステップＳ５２３）。照明器具ＬＦｎは、点灯指示を受信した場合に、光源を点灯させる（ステップＳ５２５）。
【０１１１】
ここで、図１３では、ステップＳ５２３及びステップＳ５２５の照明制御が１台の照明器具ＬＦｎについてのみ記載し残りを省略しているが、ステップＳ５２１で抽出した識別情報全てに関して、ステップＳ５２３及びステップＳ５２５と同様の処理が行われる。
【０１１２】
以上、グループ照明制御の一例として点灯処理について説明したが、消灯処理、調光処理、調色処理についても、制御手順については同様である。また、これらのグループ照明制御は、手動で行う場合の他、自動で行うこともできる。自動の制御の例としては、時刻に応じて調光調色を行う制御や、周囲の明るさをセンサーで検知して調光を行う制御がある。
【０１１３】
＜２．第２の実施形態＞
上述の実施形態では、グループ登録処理において、制御ボタンＬＢｎのチェックボックスＬＢｎｄにタッチし、保存ボタンＳＢにタッチすることで、照明器具ＬＦｎを所望のグループに登録できるグループ登録ＵＩ１００を用いていた。
【０１１４】
しかしながら、照明器具ＬＦｎを簡易にグループ登録するＵＩは、異なるものであってもよい。
【０１１５】
本実施形態のグループ登録ＵＩ４００は、ドラッグアンドドロップによりグループ登録を行うためのＵＩである。
【０１１６】
グループ登録ＵＩ４００は、図１４（ａ）に示すように、キャンセルボタンＣＢ、保存ボタンＳＢ、制御ボタンＭＢｎ、グループ表示ボタンＧＢｐを備える。ここで、ｐは、１〜グループの数（本実施形態では３）のいずれかを示す。キャンセルボタンＣＢ、及び保存ボタンＳＢについては、第１の実施形態にて説明した通りである。
【０１１７】
グループ表示ボタンＧＢｐは、グループ名が表示されたボタンである。グループ表示ボタンＧＢｐには、グループ情報一覧表１５０のグループ情報がグループ名として表示される。なお本実施形態のグループ情報一覧表１５０は、グループ登録処理に先立ち、別途作成されているものとする。
【０１１８】
制御ボタンＭＢｎの構成は、制御ボタンＬＢｎの構成と同様であり、名称表示部ＬＢｎａ、ＩＤ表示部ＬＢｎｂ、及び距離表示部ＬＢｎｃを含むが、チェックボックスＬＢｎｄ
を含まない点が異なる。また、制御ボタンＭＢｎは、全体がトグルスイッチとなっており、ユーザがタッチするごとに、照明器具ＬＦｎの点灯、消灯がトグル的に切り替わる。
【０１１９】
また、制御ボタンＭＢｎは、グループ表示ボタンＧＢｐにドラッグアンドドロップ可能に構成されている。ユーザが、グループ登録ＵＩ４００を用いて、制御ボタンＭＢｎが表す照明器具ＬＦｎをグループに登録する場合、図１４（ｂ）に示すように、登録したいグループのグループ名が表示されたグループ表示ボタンＧＢｐに、制御ボタンＭＢｎをドラッグアンドドロップする。これにより、照明器具ＬＦ１が、会議室グループに対応付けられる。
【０１２０】
この対応付けは、第１の実施形態と同様に、保存ボタンＳＢがタッチされることで確定され、照明器具情報一覧表２００における、照明器具ＬＦｎに関する照明器具情報のグループ情報に、会議室グループのグループ識別情報を記載することになる。
【０１２１】
以上説明したように、本変形例に係るグループ登録ＵＩ４００を用いたグループ登録処理によっても、照明器具ＬＦｎを所望のグループに容易に対応づけることができ、導入時における初期設定に要する時間を短縮することができる。
【０１２２】
＜３．第３の実施形態＞
第２の実施形態では、グループ登録処理において、照明器具ＬＦｎに対応する制御ボタンＭＢｎを、所望のグループを表すグループ表示ボタンＧＢｐにドラッグアンドドロップすることにより、グループへの登録を行うＵＩを用いていた。しかしながら、ドラッグアンドドロップする先は、グループを表していれば足りる。
【０１２３】
本実施形態では、グループ登録ＵＩ４００に代えて、グループ登録ＵＩ５００を用いる。
【０１２４】
グループ登録ＵＩ５００は、グループ登録ＵＩ４００と同様の構成を用いるが、図１５（ａ）に示すように、図１４（ａ）におけるグループ表示ボタンＧＢｐに代えて、照明配灯図ＦＧを表示している点が異なる。
【０１２５】
照明配灯図ＦＧは、照明器具の設置場所をシンボルで表す。照明配灯図ＦＧは、会議室を表すグループ領域ＧＲ１、居室を表すグループ領域ＧＲ２、及び廊下を表すグループ領域ＧＲ３を含む。グループ領域ＧＲ１は会議室グループに対応し、グループ領域ＧＲ２は居室グループに対応し、グループ領域ＧＲ３は廊下グループに対応する。
【０１２６】
グループ領域ＧＲ１、グループ領域ＧＲ２、及びグループ領域ＧＲ３は、それぞれ会議室、居室、及び廊下の間取りを表しており、各グループ領域中にはグループ名が記載され、各グループ領域中の丸印のシンボルは、照明器具ＬＦｎが配置される位置を示す。一例として、グループ領域ＧＲ１には２０個の丸印が記載されており、これは会議室に２０台の照明器具ＬＦｎが配置されていることを表す。
【０１２７】
ユーザが、グループ登録ＵＩ５００を用いて、制御ボタンＭＢｎが表す照明器具ＬＦｎをグループに登録する場合、図１５（ｂ）に示すように、登録したいグループのグループ名が表示されたグループ領域ＧＲｐに、制御ボタンＭＢｎをドラッグアンドドロップする。これにより、照明器具ＬＦ１が、会議室グループに対応付けられる。
【０１２８】
この対応付けは、第１の実施形態と同様に、保存ボタンＳＢがタッチされることで確定され、照明器具情報一覧表２００における、照明器具ＬＦｎに関する照明器具情報のグループ情報に、会議室グループのグループ識別情報を記載することになる。
【０１２９】
以上説明したように、本変形例に係るグループ登録ＵＩ５００を用いたグループ登録処理によっても、照明器具ＬＦｎを所望のグループに容易に対応づけることができ、導入時における初期設定に要する時間を短縮することができる。
【０１３０】
＜４．変形例＞
以上、本発明に係る照明システムの実施形態を説明したが、例示した照明システムを以下のように変形することも可能であり、本発明が上述の実施形態で示した通りの照明システムに限られないことは勿論である。
【０１３１】
（１）上述の実施形態では、ゲートウェイ５が１個用いられる例で説明したが、これに限らず、ゲートウェイ５は複数あってもよい。そして複数のゲートウェイ５が、連携して動作してもよい。ゲートウェイ５の物理的な無線通信は限られるので、複数のゲートウェイ５が連携動作することで、より広い範囲に設置された照明器具を制御することができる。
【０１３２】
（２）上述の実施形態では、照明器具ＬＦｎが発信するビーコンの停止のタイミングについて述べていないが、グループ登録処理が完了した後、又は識別情報−グループ対応付け処理における各グループへの照明器具ＬＦｎが完了した後など、適宜のタイミングでビーコンの停止を行えばよい。例えば、スマートフォン６が、ステップＳ４４５及びステップＳ４４７の間、又はステップＳ４４７の後に、ゲートウェイ５に対し、ステップＳ４４５においてチェックボックスＬＢｎｄにチェックされていた全ての照明器具ＬＦｎに対し、ビーコンの停止指示を送信するよう指示することとしてもよい。
【０１３３】
（３）上述の実施形態では、ユーザインターフェースがボタン、パネルなどのオブジェクトを含むこととしたが、これらは必ずしもボタン、パネル等の形態を成している必要はなく、少なくとも線、色分けなどにより区分された領域であれば足りる。
【０１３４】
（４）上述の実施形態で示した各機能構成要素は、その機能を実行する回路として実現されてもよいし、１又は複数のプロセッサにより照明制御プログラムを実行することで実現されてもよい。
【０１３５】
（５）上述の実施形態及び各変形例を、部分的に組み合せてもよい。
【０１３６】
＜５．補足＞
以下、更に本発明の一実施形態としての照明システムの構成及びその変形例と効果について説明する。
【０１３７】
（１）本発明の一実施形態に係る照明システムは、複数の照明器具と、前記複数の照明器具の少なくとも１つで構成されるグループごとに前記照明器具に同じ照明制御を指示する照明制御装置とを備える照明システムであって、前記複数の照明器具のそれぞれは、自器具の識別情報を送信する送信手段を備え、前記照明制御装置は、前記識別情報を受信する受信手段と、受信した前記識別情報により識別される前記照明器具の一覧を表示し、表示された前記照明器具それぞれについてグループ登録処理を行うためのユーザインターフェース手段とを備える。
【０１３８】
この構成により、本発明に係る照明システムは、識別情報が受信できた前記照明器具のうち所望のものをグループ登録するだけで、照明器具を制御できるようになるので、導入時における設置設定に要する時間を短縮することができる
（２）また、前記ユーザインターフェース手段は、前記表示された照明器具のいずれかについて、ユーザが他の照明器具との識別動作の指示を行い、前記照明制御装置は、前記他の照明器具との識別動作指示がなされた照明器具が他の照明器具との識別動作をするよう制御することとしてもよい。
【０１３９】
（３）また、前記他の照明器具との識別動作は、点滅、点灯、消灯のいずれかであることとしてもよい。
【０１４０】
この構成により、ユーザは、照明器具の設置場所を確認した上で、照明器具ＬＦｎをグループに含めるか否かを判断できるので、ユーザにとっての利便性が高い。
【０１４１】
（４）また、前記ユーザインターフェース手段は、グループに含める照明器具を指定するためのチェックボックスを備え、前記チェックボックスがチェックされた照明器具を前記グループに登録することとしてもよい。
【０１４２】
この構成によりユーザは、チェックボックスにチェックするだけで、所望の照明器具をグループ登録できるので、グループ登録が容易であり、導入時における設置設定に要する時間を短縮することができる
（５）また、前記ユーザインターフェース手段は、前記グループを示す領域を有し、前記グループを示す領域に、一覧表示された照明器具のうち前記グループに含めるものをドラッグアンドドロップすることにより前記グループに登録することとしてもよい。
【０１４３】
この構成により、ユーザは簡易な操作で所望の照明器具をグループに含めることができる。
【０１４４】
（６）また、前記ユーザインターフェース手段は、前記一覧表示された各々の前記照明器具と、前記照明制御装置との距離を表示することとしてもよい。
【０１４５】
この構成により、場所的に近くに存在している照明器具からグループ登録などの処理を行うことができるので、ユーザにとって効率よく作業することができる。
【０１４６】
（７）また、前記送信手段は、前記識別情報を送信する場合に、ビーコンに前記識別情報を含めて送信し、前記受信手段は、前記識別情報を含む前記ビーコンを受信することとしてもよい。
【０１４７】
この構成により、ビーコンについて規定された既存の通信仕様に基づき照明器具から制御システムへと識別情報を送信することができる。
【０１４８】
（８）また、前記ユーザインターフェース手段を備えたスマートフォンを備えることとしてもよい。
【０１４９】
この構成により、スマートフォンに、ユーザインターフェースの表示が可能なアプリをダウンロードさせるなどにより、市場に流通するスマートフォンを前記ユーザインターフェース手段として利用することができる。
【符号の説明】
【０１５０】
１          照明システム
２          照明制御装置
５          ゲートウェイ
６          スマートフォン
４１          光源部
４３          回路部
４４          ＷＭ部
４４ａ      無線通信部
４４ｂ      制御部
５１          無線通信部
５２          有線通信部
５３          制御部
５４          ＲＯＭ５４
６１          制御部
６２          ＲＯＭ
６３          ＲＡＭ
６４          無線通信部
６５          タッチパネル
１００          グループ登録ＵＩ
１５０          グループ情報一覧表
１５０ａ      グループ識別情報
１５０ｂ      グループ名情報
２００          照明器具情報一覧表
２０１ａ      器具名情報
２０１ｂ      識別情報
２０１ｃ      距離情報
２０１ｄ      点灯情報
２０１ｅ      調光率情報
２０１ｆ      グループ識別情報
ＡＯＦ          全消灯ボタン
ＡＯＮ          全点灯ボタン
ＣＢ             キャンセルボタン
ＣＳ             カーソル
ＧＢ１、ＧＢ２、ＧＢ３                  グループ表示ボタン
ＧＲ１、ＧＲ２、ＧＲ３                  グループ領域
ＩＢ                                              グループ入力欄
ＫＢ                                              ソフトウェアキーボード
ＬＢ１、ＬＢ３、ＬＢ５、ＬＢ１４  制御ボタン
ＬＦ１〜ＬＦ４０                           照明器具
ＭＢ１、ＭＢ３、ＭＢ５、ＭＢ１４  制御ボタン
ＰＡ１、ＰＡ２、ＰＡ３                  グループ制御パネル
ＰＡ１ａ      グループ名
ＰＡ１ｂ      点消灯ボタン
ＰＡ１ｃＢ   調光率バー画像
ＰＡ１ｃＲ   調光率範囲画像
ＰＡ１ｄ      調光率表示画像
ＳＢ             保存ボタン
１００、４００、５００                  グループ登録ＵＩ
１３０、１５０                              グループ制御ＵＩ
【図１】
2020013758.tif 000003
【図２】
2020013758.tif 000004
【図３】
2020013758.tif 000005
【図４】
2020013758.tif 000006
【図５】
2020013758.tif 000007
【図６】
2020013758.tif 000008
【図７】
2020013758.tif 000009
【図８】
2020013758.tif 000010
【図９】
2020013758.tif 000011
【図１０】
2020013758.tif 000012
【図１１】
2020013758.tif 000013
【図１２】
2020013758.tif 000014
【図１３】
2020013758.tif 000015
【図１４】
2020013758.tif 000016
【図１５】
2020013758.tif 000017